(57)【要約】 【課題】  スリット型砂防堰の砂礫一時貯留機能と流木捕捉能力を改善し、防災機能を向上させた砂防堰を提供する。【解決手段】  スリット型砂防堰の提体２を開窄した通水口ｂの上流側前面に、提体２からはなして抑制壁３を立設し、同抑制壁３と提体２間に側方からの流入口ｃを設けて支え梁４で連結して、流通水を屈曲して流出させる。【選択図】  図１
2013159944.tif 000002
【特許請求の範囲】
【請求項１】
砂防堰の提体を開窄して形成した通水口ｂの前面に、該通水口の開口巾より巾の広い抑制壁３を提体からはなして立設し、抑制壁３と提体２間に側方からの流入口ｃを設けて支え梁４で連結した、通水口前面に抑制壁を設けた砂防堰。
【請求項２】
通水口ｂ上流側の支え梁４間に閉止板５を着脱可能に装着して、通水口ｂの一部又は全部を開放閉鎖できるようにした請求項１の通水口前面に抑制壁を設けた砂防堰。
【発明の詳細な説明】
【技術分野】
【０００１】
本発明は砂防堰又は砂防堰提に関するものである。
【背景技術】
【０００２】
旧来の不透過型砂防堰は、満砂までの期間が短いばかりでなく、大きな段差は水性生物の遡上往来を遮断して種の絶滅を招きやすいものであったが、近年のスリット型砂防堰に代表される透過型砂防堰は、満砂期間が長く、一定の防災目的を達成して、魚類の遡上往来が可能な点が評価されて採用される例が増えてはいるが、砂防堰に対する要求特性は多様化してきているようである。
【先行技術文献】
【特許文献】
【０００３】
【特許文献１】特開２００４−３１６０８１
【特許文献２】特開２００７−５６４８８
【特許文献３】特開２００８−２０２２９１
【特許文献４】特願２０１１−０５１７６２
【発明の概要】
【発明が解決しようとする課題】
【０００４】
スリット型砂防堰は、堤体途中をほぼ全高さにわたって、スリット状に大きく開窄して通水口としたものであり、通水に与える抵抗はきわめて小さく、洪水時に堰内水位が上昇し難いことに加え、流れは底まで開窄したスリット部に集中して、河床勾配のままの速い流れになり大きな礫石を流下させやすく、流木も極めてスムースに通過させてしまう課題や、堰内に堆積した砂礫も、洪水ピーク後の減水時に急速に流出させる傾向が強く、下流河川に大量堆積を生じやすい等の課題がある。
【０００５】
通水口に工夫された防護柵（パイプ柵等）を配設したものがあるけれども、大き過ぎる礫や流木を捕捉するものではあっても、流勢を緩和する程のものではない。
【課題を解決するための手段】
【０００６】
本発明では、スリット型砂防堰の提体をスリット状に開窄した通水口の前面に、同通水口の開口巾より広い抑制壁を提体から少し離して立設し、流水を抑制壁の両側を迂回する形で屈曲させて通水口より流出させる。
【０００７】
洪水時の流水は、抑制壁により大きな抵抗を受けて堰内水位の上昇が早まり、上流からの堰内滞留水への流入位置が上流側に移動することにより、礫石の堆積がより上流位置あら始まり、流入水による掃流洗掘もより上流位置まで防止でき、堰内砂礫の一時堆積量も増加させる。
【０００８】
また、洪水時の滞留水状態での通水口近くの流れは、抑制壁によって二分され流速が半減するために、流下礫大きさが小さくなることに加え、堰内堆砂の流出を抑制壁が直接的に阻害して堰内堆砂を促進する、更に、半減した流速は抑制壁及び提体への礫石衝突衝撃を著しく軽減する。
【０００９】
更に、下流河川の河床管理上砂礫の流出を極力防止したい時には、通水口上流側の支え梁間に、通水口を閉鎖する縦長の閉止板を、底まで突き当て、或いは、底の一部分を開口させた状態に装着して閉鎖し、非透過型砂防堰状態の堰内堆砂を得ることや、堰内堆砂状態の閉止板を抜き取ることで、抑制壁と支え梁間に囲われた形の通水口前面の堆砂は容易に上部から順に流水と共に流出し、次第に堰内の堆砂も流水に崩落流入させて下流河川に供給することもできる。
【発明の効果】
【００１０】
前述するような抑制壁を備えた本発明砂防堰は、洪水時の大量砂礫流入時において、従来のスリット型砂防堰より早期に堰内水位を上昇させ、より上流位置から砂礫を堆積させると共に、提体通水口付近では、砂礫の直接的通過流出を抑制壁で阻止し、分散半減した流速は、礫石の提体への衝撃力を著しく緩和する効果がある。
【００１１】
また、スリット型砂防堰に生じやすい洪水ピーク後の減水時における堰内堆砂の急速流出についても、抑制壁が直接的に抑制することに加え、堰内堆砂位置が上流側に移動することもあり緩和される。
【００１２】
流木の捕捉においては、水平に流れる流木は、抑制壁と提体間距離及び流出口巾により制限調整でき、垂直状態で流れる流木は、抑制壁と提体間に設けた支え梁の上下間距離で制限調整できる。
【００１３】
通水口の詰りにおいても、従来のスリット型砂防堰では、通水口巾を超える１個の礫の詰りで最低通水位置が礫１個分高くなるけれども、本件砂防堰では抑制壁両側に各１個の礫が詰まることで礫１個分の通水位置が高くなるものであり、詰り難い通水口とする効果があり、従来のスリット型砂防堰で通水口巾を広くして鋼管製防護柵等を備えた砂防堰としていたものを、本件発明の抑制壁を備えた通水口を複数配列したものとすれば、腐食、防錆問題をなくした安全な砂防堰にできる。
【図面の簡単な説明】
【００１４】
【図１】第１実施例砂防堰の側断面図。
【図２】（イ）図は第１実施例図１のＡ−Ａ断面視図、（ロ）図は図１のＢ−Ｂ視図。
【図３】第１実施例図１のＣ−Ｃ部断面図。
【図４】第１実施例図１のＣ−Ｃ部断面に相当する他の形態の抑制壁断面３Ａ（ハ）、３Ｂ（ニ）、３Ｃ（ホ）を示す。
【図５】（ヘ）図は第２実施例砂防堰の閉止板５を装着した提体部側断面図、（ト）図は（ヘ）図のＤ−Ｄ部断面視図を示す。
【図６】第２実施例の閉止板５の正面図を示す。
【発明を実施するための形態】
【００１５】
以下、本発明の実施形態を図１〜図６に基づいて説明する。
【実施例１】
【００１６】
本発明の第１実施例は、側断面を図１、提体前面（上流側）図を図２（イ）、提体背面（下流側）図を図２（ロ）、及び図１のＣ−Ｃ部断面図を図３に示すように、従来のスリット型砂防堰と同形状の提体２に複数開窄した通水口ｂの前面をそれぞれ覆う形に、提体２と距離ｙを置いて配設した抑制壁３を支え梁４で提体と連結して構成したものであり、流水は流水線ｆで示すように抑制壁３の両側から流入して、それぞれの通水口ｂから流出する。
【００１７】
図３に示す隙間寸法ｘ、ｙ、ｚの関係は、通常ｙ＜ｘ、ｚ＞２ｘとするけれども、流速を変化させたくない場合には、ｘ＝ｚとすることもできる。
【００１８】
図４は実施例１のＣ−Ｃ部に相当する他の抑制壁形状（ハ）図は３Ａ、（ニ）図は３Ｂ、（ホ）図は３Ｃの３種を示すものである。
【実施例２】
【００１９】
図５（ヘ）に提体部の側断面図、（ト）図に（ヘ）図のＤ−Ｄ部断面を示す実施例２は、図６に示す閉止板５を通水口ｂの上流側、支え梁４間に挿入して通水口ｂに滞留水の水圧で押し付け閉鎖するようにしたものであり、底面に当接させて完全閉鎖することや、少し短い閉止板５を挿入して底部を開口状態にして、水抜き孔を設けた非透過型砂防堰状態とすることで砂防堰１内砂礫の堆積を促進し、閉止板５を抜き取ることで堰内砂礫を流水と共に自然に流出させる。
【産業上の利用可能性】
【００２０】
本発明の砂防堰は、巨大礫や流木の捕捉、砂礫の一時貯留調整の防災と河川管理性に優れるばかりでなく、通水口最低通水位置を河床近くに維持しやすくして魚の遡上往来を確保し、河川海浜環境の回復保全に大きく貢献するものである。
【符号の説明】
【００２１】
１  砂防堰
２  提体
３  抑制壁
４  支え梁
５  閉止板
ａ  越流水位
ｂ  通水口
ｃ  流入口
ｄ  堆砂予想線
ｅ  砂防堰の流入口
ｆ  流水線
【図１】
2013159944.tif 000003
【図２】
2013159944.tif 000004
【図３】
2013159944.tif 000005
【図４】
2013159944.tif 000006
【図５】
2013159944.tif 000007
【図６】
2013159944.tif 000008